(57)【要約】【課題】本発明は、偽造防止効果を必要とするセキュリティ印刷物である銀行券、パスポート、有価証券、身分証明書、カード、通行券等の貴重印刷物の分野において、透過光で視認可能な不可視画像に関するものである。【解決手段】  光透過性基材上に備わった不可視画像領域において、光透過によって第１の不可視画像が、基材の透過光量の差異によって現れ、判別具を重ね合わせることで第２の不可視画像又は第２の不可視画像が現れる偽造防止用形成体を提供するものである。【選択図】図１１
2014014944.tif 000002
【特許請求の範囲】
【請求項１】
基材の少なくとも一部に、不可視画像が形成された不可視画像領域を有し、
前記不可視画像領域は、第１の光透過部、第２の光透過部及び第３の光透過部を有するユニットが規則的に所定のピッチでマトリックス状に複数配置され、
前記複数配置された各々のユニット内に形成された前記第１の光透過部によって第１の不可視画像が形成され、
前記第２の光透過部及び前記第３の光透過部は、前記ユニット内において第１の方向に沿って第１の距離をもって一対として形成され、
前記第２の光透過部及び前記第３の光透過部は、オン・オフの関係にあり、かつ、面積が同一として形成され、
前記２の光透過部をオンとして形成することで、第２の不可視画像のネガ画像又はポジ画像が形成され、
前記第３の光透過部をオンとして形成することで、前記第２の不可視画像のポジ画像又はネガ画像が形成され、
前記第１光透過部は、前記第２の光透過部以上の面積により形成されたことを特徴とする偽造防止用形成体。
【請求項２】
前記第１の光透過部の少なくとも一部が、前記第２の光透過部及び前記第３の光透過部に挟まれて形成されたことを特徴とする請求項１記載の偽造防止用形成体。
【請求項３】
前記複数配置された前記ユニットのうち、前記第１の方向に沿って隣接して配置された前記ユニットにおいて、オンとして配置された前記第２の光透過部及び前記第３の光透過部が前記第１の距離で配置された場合、前記第２の光透過部及び前記第３の光透過部のいずれか一方をオフとし、
前記複数配置された前記ユニットのうち、前記第１の方向に沿って隣接して配置された２つ又は３つの前記ユニットにおいて、オンとして配置された前記第２の光透過部及び前記第３の光透過部が第２の距離で配置された場合、前記第２の光透過部及び前記第３の光透過部における半分又は略半分の面積を有する第４の光透過部が、前記第２の距離をもってオンとして形成された前記第２の光透過部及び前記第３の光透過部の中心に配置された前記第１の光透過部内に形成され、
前記第１の方向に沿って隣接して配置された３つの前記ユニットにおいて、オンとして配置された２つの前記第２の光透過部又は２つの前記第３の光透過部が前記第３の距離で配置された場合、前記第３の距離をもってオンとして形成された２つの前記第２の光透過部又は２つの前記第３の光透過部の中心に形成された前記第２の光透過部又は前記第３の光透過部を挟む前記第１の光透過部内に前記第４の光透過部が形成されたことを特徴とする請求項１又は２記載の偽造防止用形成体。
【請求項４】
前記ユニットは、更に第５の光透過部及び第６の光透過部を有し、
前記第５の光透過部及び前記第６の光透過部はオン・オフの関係にあり、かつ、前記第２の光透過部と面積が同一であり、
前記第５の光透過部をオンとして形成することで、第３の不可視画像のネガ画像又はポジ画像が形成され、
前記第６の光透過部をオンとして形成することで、前記第３の不可視画像のポジ画像又はネガ画像が形成されたことを特徴とする請求項１乃至３のいずれか一項に記載の偽造防止用形成体。
【請求項５】
前記第５の光透過部及び前記第６の光透過部は、前記第１の方向に沿って前記第１の距離をもって一対として形成され、
前記第１の光透過部、前記第２の光透過部、前記第３の光透過部、前記第５の光透過部及び前記第６の光透過部は、前記ユニット内において、前記第１の方向に沿って前記第２の光透過部、前記第１の光透過部、前記第５の光透過部、前記第１の光透過部、前記第３の光透過部、前記第１の光透過部、前記第６の光透過部、前記第１の光透過部の順で形成されたことを特徴とする請求項４記載の偽造防止用形成体。
【請求項６】
前記第５の光透過部及び前記第６の光透過部は、前記ユニット内において前記第１の方向と異なる第２の方向に沿って前記第１の距離又は第４の距離で形成されたことを特徴とする請求項４記載の偽造防止用形成体。
【請求項７】
前記複数配置された前記ユニットのうち、前記第１の方向に沿って隣接して配置された前記ユニットにおいて、オンとして配置された前記第２の光透過部及び前記第３の光透過部が前記第１の距離で配置された場合、前記第２の光透過部及び前記第３の光透過部のいずれか一方をオフとし、
前記複数配置された前記ユニットのうち、前記第１の方向に沿って隣接して配置された前記ユニットにおいて、オンとして配置された前記第５の光透過部及び前記第６の光透過部が前記第１の距離又は前記第４の距離で配置された場合、前記第５の光透過部及び前記第６の光透過部のいずれか一方をオフとし、
前記複数配置された前記ユニットのうち、前記第１の方向に沿って隣接して配置された２つ又は３つの前記ユニットにおいて、オンとして配置された前記第２の光透過部及び前記第３の光透過部が第２の距離で配置された場合、前記第２の光透過部及び前記第３の光透過部における半分又は略半分の面積を有する第４の光透過部が、前記第２の距離をもってオンとして形成された前記第２の光透過部及び前記第３の光透過部の中心に配置された前記第５の光透過部又は前記第６の光透過部に隣接する位置に形成され、
前記複数配置された前記ユニットのうち、前記第１の方向に沿って隣接して配置された２つ又は３つの前記ユニットにおいて、オンとして配置された前記第５の光透過部及び前記第６の光透過部が前記第２の距離で配置された場合、前記第５の光透過部及び前記第６の光透過部における半分又は略半分の面積を有する第７の光透過部が、前記第２の距離をもってオンとして形成された前記第５の光透過部及び前記第６の光透過部の中心に配置された前記第２の光透過部又は前記第３の光透過部に隣接する位置に形成され、
前記第１の方向に沿って隣接して配置された３つの前記ユニットにおいて、オンとして配置された２つの前記第２の光透過部又は２つの前記第３の光透過部が前記第３の距離で配置された場合、前記第３の距離をもってオンとして形成された２つの前記第２の光透過部又は２つの前記第３の光透過部の中心に形成された前記第２の光透過部又は前記第３の光透過部に隣接する前記第５の光透過部及び前記第６の光透過部に隣接する位置に前記第４の光透過部が形成され、
前記第１の方向に沿って隣接して配置された３つの前記ユニットにおいて、オンとして配置された２つの前記第５の光透過部又は２つの前記第６の光透過部が前記第３の距離で配置された場合、前記第３の距離をもってオンとして形成された２つの前記第５の光透過部又は２つの前記第６の光透過部の中心に形成された前記第５の光透過部又は前記第６の光透過部に隣接する前記第２の光透過部及び前記第３の光透過部に隣接する位置に前記第７の光透過部が形成されたことを特徴とする請求項４又は５記載の偽造防止用形成体。
【請求項８】
前記複数配置された前記ユニットのうち、前記第１の方向に沿って隣接して配置された前記ユニットにおいて、オンとして配置された前記第２の光透過部及び前記第３の光透過部が前記第１の距離で配置された場合、前記第２の光透過部及び前記第３の光透過部のいずれか一方をオフとし、
前記複数配置された前記ユニットのうち、前記第２の方向に沿って隣接して配置された前記ユニットにおいて、オンとして配置された前記第５の光透過部及び前記第６の光透過部が前記第１の距離又は前記第４の距離で配置された場合、前記第５の光透過部及び前記第６の光透過部のいずれか一方をオフとし、
前記複数配置された前記ユニットのうち、前記第１の方向に沿って隣接して配置された２つ又は３つの前記ユニットにおいて、オンとして配置された前記第２の光透過部及び前記第３の光透過部が第２の距離で配置された場合、前記第２の光透過部及び前記第３の光透過部における半分又は略半分の面積を有する第４の光透過部が、前記第２の距離をもってオンとして形成された前記第２の光透過部及び前記第３の光透過部の間に配置された前記第１の光透過部内に形成され、
前記複数配置された前記ユニットのうち、前記第２の方向に沿って隣接して配置された２つ又は３つの前記ユニットにおいて、オンとして配置された前記第５の光透過部及び前記第６の光透過部が第２の距離又は第５の距離で配置された場合、前記第５の光透過部及び前記第６の光透過部における半分又は略半分の面積を有する第７の光透過部が、前記第２の距離又は前記第５の距離をもってオンとして形成された前記第５の光透過部及び前記第６の光透過部の間に配置された前記第１の光透過部内に形成され、
前記第１の方向に沿って隣接して配置された３つの前記ユニットにおいて、オンとして配置された２つの前記第２の光透過部又は２つの前記第３の光透過部が前記第３の距離で配置された場合、前記第３の距離をもってオンとして形成された２つの前記第２の光透過部又は２つの前記第３の光透過部の間に形成された前記第１の光透過部内に前記第４の光透過部が形成され、
前記第２の方向に沿って隣接して配置された３つの前記ユニットにおいて、オンとして配置された２つの前記第５の光透過部又は２つの前記第６の光透過部が前記第３の距離又は前記第６の距離で配置された場合、前記第３の距離又は前記第６の距離をもってオンとして形成された２つの前記第５の光透過部又は２つの前記第６の光透過部の間に形成された前記第１の光透過部内に前記第７の光透過部が形成されたことを特徴とする請求項４又は６記載の偽造防止用形成体。
【請求項９】
前記ユニット同士の所定のピッチは、１ｍｍ以下であることを特徴とする請求項１乃至８のいずれか一項に記載の偽造防止用形成体。
【請求項１０】
前記第１の光透過部の面積を段階的に変化させることで、連続階調を有する前記第１の不可視画像が形成されたことを特徴とする請求項１乃至９のいずれか一項に記載の偽造防止用形成体。
【請求項１１】
前記基材は、前記不可視画像領域を除く領域に、少なくとも１つの可視画像が形成されたことを特徴とする請求項１乃至１０のいずれか一項に記載の偽造防止用形成体。
【発明の詳細な説明】
【技術分野】
【０００１】
本発明は、所定の光透過性を有する基材を用いた偽造防止用形成体に関するものであり、特に、銀行券、パスポート及びブランドプロテクション等の貴重性の高い媒体に利用され、基材を透過光下で観察することで、偽造防止や真偽判別可能な偽造防止用形成体に関するものである。
【背景技術】
【０００２】
銀行券、有価証券及び各種証明書等の貴重性の高い媒体は、紙基材又はポリマーから成るカード等の光透過性基材の光透過性を利用し、偽造防止のためのセキュリティ機能を高める方法として、今日、様々な技術が用いられている。代表的な技術としては、紙基材に用いる紙料の粗密や紙基材の薄厚によって不可視画像を形成し、透過光下において観察される不可視情報が形成された、いわゆる、透かしと呼ばれる技術が伝統技法としても古くから用いられている。これらの技術は、透過光下で画像を入力することができる一般的な光学入力装置であるデジタル機器を用いたとしても、複写が不可能であるという特徴を備えている。
【０００３】
一方、紙基材において擬似的に不可視画像を埋め込む方法として、印刷工程で特殊なインキ（例えば、特許文献１参照）を用い、透かしに相当する透過画像を形成する偽造防止技術が存在する（例えば、特許文献２参照）。
【０００４】
また、本願発明者らは、透かしとは別な不可視画像の埋め込み技術として、第１の方向に沿って、中心を境に対向するように配置された第１の画線及び第２の画線と、第１の方向と直交する第２の方向に沿って、中心を境に対向するように配置された第３の画線及び第４の画線とを有する画線要素が、一定のピッチで複数マトリクス状に配置されており、各々の画線要素における第１の画線及び第２の画線と、第３の画線及び第４の画線とがネガポジの関係にあり、第１の画線又は第２の画線により第１の不可視画像が形成され、第３の画線又は第４の画線により第２の不可視画像が形成されることを特徴とする偽造防止用印刷物について、既に出願している（例えば、特許文献３参照）。
【先行技術文献】
【特許文献】
【０００５】
【特許文献１】特開２０００−２９０５７１号公報
【特許文献２】特開平６−２２８９００号公報
【特許文献３】特許第４６３５１６０号公報
【発明の概要】
【発明が解決しようとする課題】
【０００６】
しかしながら、単純な模様から成る透かしの場合、こうした特殊なインキと性質が類似したインキを用いて偽造される場合がある。また、透かしの観察方法としては、一般的に基材を透過光下で観察することが主な認証方法であるがゆえに、透過光下にて発現した模様を観察者が十分に認知することができていないと、それが真正物であるか否かを判断することが難しいという課題が残されていた。
【０００７】
本発明は、前述した課題にかんがみなされたものであり、透過光下で観察される一般的な透かしに加え、透過光下で判別具を積置させた状態で観察される不可視画像を形成することで、高度な真偽判別が可能な偽造防止用形成体を得ることを目的とする。
【課題を解決するための手段】
【０００８】
本発明の偽造防止用形成体は、基材の少なくとも一部に、不可視画像が形成された不可視画像領域を有し、不可視画像領域は、第１の光透過部、第２の光透過部及び第３の光透過部を有するユニットが規則的に所定のピッチでマトリックス状に複数配置され、複数配置された各々のユニット内に形成された第１の光透過部によって第１の不可視画像が形成され、第２の光透過部及び第３の光透過部は、ユニット内において第１の方向に沿って第１の距離をもって一対として形成され、第２の光透過部及び第３の光透過部は、オン・オフの関係にあり、かつ、面積が同一として形成され、第２の光透過部をオンとして形成することで、第２の不可視画像のネガ画像又はポジ画像が形成され、第３の光透過部をオンとして形成することで、第２の不可視画像のポジ画像又はネガ画像が形成され、第１光透過部の面積を、第２の光透過部と同一又は大きい状態として形成されたことで、透過光下で観察される第１の不可視画像内に形成された第２の不可視画像が不可視となることを特徴とする偽造防止用形成体である。
【０００９】
また、本発明の偽造防止用形成体における第１の光透過部の少なくとも一部が、第２の光透過部及び第３の光透過部に挟まれて形成されたことを特徴とする偽造防止用形成体である。
【００１０】
また、本発明の偽造防止用形成体は、複数配置されたユニットのうち、第１の方向に沿って隣接して配置されたユニットにおいて、オンとして配置された第２の光透過部及び第３の光透過部が第１の距離で配置された場合、第２の光透過部及び第３の光透過部のいずれか一方をオフとし、複数配置されたユニットのうち、第１の方向に沿って隣接して配置された２つ又は３つのユニットにおいて、オンとして配置された第２の光透過部及び第３の光透過部が第２の距離で配置された場合、所定の領域における光の透過光量を緩和するために、第２の光透過部及び第３の光透過部における半分又は略半分の面積を有する第４の光透過部が、第２の距離をもってオンとして形成された第２の光透過部及び第３の光透過部の中心に配置された第１の光透過部内に形成され、第１の方向に沿って隣接して配置された３つのユニットにおいて、オンとして配置された２つの第２の光透過部又は２つの第３の光透過部が第３の距離で配置された場合、第３の距離をもってオンとして形成された２つの第２の光透過部又は２つの第３の光透過部の中心に形成された第２の光透過部又は第３の光透過部を挟む第１の光透過部内に第４の光透過部が形成されたことを特徴とする偽造防止用形成体である。
【００１１】
また、本発明の偽造防止用形成体におけるユニットは、更に第５の光透過部及び第６の光透過部を有し、第５の光透過部及び第６の光透過部はオン・オフの関係にあり、かつ、第２の光透過部と面積が同一であり、第５の光透過部をオンとして形成することで、第３の不可視画像のネガ画像又はポジ画像が形成され、第６の光透過部をオンとして形成することで、第３の不可視画像のポジ画像又はネガ画像が形成されたことを特徴とする偽造防止用形成体である。
【００１２】
また、本発明の偽造防止用形成体における第５の光透過部及び第６の光透過部は、第１の方向に沿って第１の距離をもって一対として形成され、第１の光透過部、第２の光透過部、第３の光透過部、第５の光透過部及び第６の光透過部は、ユニット内において、第１の方向に沿って第２の光透過部、第１の光透過部、第５の光透過部、第１の光透過部、第３の光透過部、第１の光透過部、第６の光透過部、第１の光透過部の順で形成されたことを特徴とする偽造防止用形成体である。
【００１３】
また、本発明の偽造防止用形成体における第５の光透過部及び第６の光透過部は、ユニット内において第１の方向と異なる第２の方向に沿って第１の距離又は第４の距離で形成されたことを特徴とする偽造防止用形成体である。
【００１４】
また、本発明の偽造防止用形成体は、複数配置されたユニットのうち、第１の方向に沿って隣接して配置されたユニットにおいて、オンとして配置された第２の光透過部及び第３の光透過部が第１の距離で配置された場合、第２の光透過部及び第３の光透過部のいずれか一方をオフとし、複数配置されたユニットのうち、第１の方向に沿って隣接して配置されたユニットにおいて、オンとして配置された第５の光透過部及び第６の光透過部が第１の距離又は第４の距離で配置された場合、第５の光透過部及び第６の光透過部のいずれか一方をオフとし、複数配置されたユニットのうち、第１の方向に沿って隣接して配置された２つ又は３つのユニットにおいて、オンとして配置された第２の光透過部及び第３の光透過部が第２の距離で配置された場合、所定の領域における光の透過光量を緩和するために、第２の光透過部及び第３の光透過部における半分又は略半分の面積を有する第４の光透過部が、第２の距離をもってオンとして形成された第２の光透過部及び第３の光透過部の中心に配置された第５の光透過部又は第６の光透過部に隣接する位置に形成され、複数配置されたユニットのうち、第１の方向に沿って隣接して配置された２つ又は３つの前記ユニットにおいて、オンとして配置された第５の光透過部及び第６の光透過部が第２の距離で配置された場合、所定の領域における光の透過光量を緩和するために、第５の光透過部及び第６の光透過部における半分又は略半分の面積を有する第７の光透過部が、第２の距離をもってオンとして形成された第５の光透過部及び第６の光透過部の中心に配置された第２の光透過部又は第３の光透過部に隣接する位置に形成され、第１の方向に沿って隣接して配置された３つのユニットにおいて、オンとして配置された２つの第２の光透過部又は２つの第３の光透過部が第３の距離で配置された場合、第３の距離をもってオンとして形成された２つの第２の光透過部又は２つの第３の光透過部の中心に形成された第２の光透過部又は第３の光透過部に隣接する第５の光透過部及び第６の光透過部に隣接する位置に第４の光透過部が形成され、第１の方向に沿って隣接して配置された３つのユニットにおいて、オンとして配置された２つの第５の光透過部又は２つの第６の光透過部が第３の距離で配置された場合、第３の距離をもってオンとして形成された２つの第５の光透過部又は２つの第６の光透過部の中心に形成された第５の光透過部又は第６の光透過部に隣接する第２の光透過部及び第３の光透過部に隣接する位置に第７の光透過部が形成されたことを特徴とする偽造防止用形成体である。
【００１５】
また、本発明の偽造防止用形成体は、複数配置されたユニットのうち、第１の方向に沿って隣接して配置されたユニットにおいて、オンとして配置された第２の光透過部及び第３の光透過部が第１の距離で配置された場合、第２の光透過部及び第３の光透過部のいずれか一方をオフとし、複数配置されたユニットのうち、第２の方向に沿って隣接して配置されたユニットにおいて、オンとして配置された第５の光透過部及び第６の光透過部が第１の距離又は第４の距離で配置された場合、第５の光透過部及び第６の光透過部のいずれか一方をオフとし、複数配置されたユニットのうち、第１の方向に沿って隣接して配置された２つ又は３つのユニットにおいて、オンとして配置された第２の光透過部及び第３の光透過部が第２の距離で配置された場合、所定の領域における光の透過光量を緩和するために、第２の光透過部及び第３の光透過部における半分又は略半分の面積を有する第４の光透過部が、第２の距離をもってオンとして形成された第２の光透過部及び第３の光透過部の間に配置された第１の光透過部内に形成され、複数配置されたユニットのうち、第２の方向に沿って隣接して配置された２つ又は３つのユニットにおいて、オンとして配置された第５の光透過部及び第６の光透過部が第２の距離又は第５の距離で配置された場合、所定の領域における光の透過光量を緩和するために、第５の光透過部及び第６の光透過部における半分又は略半分の面積を有する第７の光透過部が、第２の距離又は第５の距離をもってオンとして形成された第５の光透過部及び第６の光透過部の間に配置された第１の光透過部内に形成され、第１の方向に沿って隣接して配置された３つのユニットにおいて、オンとして配置された２つの第２の光透過部又は２つの第３の光透過部が第３の距離で配置された場合、第３の距離をもってオンとして形成された２つの第２の光透過部又は２つの第３の光透過部の間に形成された第１の光透過部内に第４の光透過部が形成され、第２の方向に沿って隣接して配置された３つのユニットにおいて、オンとして配置された２つの第５の光透過部又は２つの第６の光透過部が第３の距離又は第６の距離で配置された場合、第３の距離又は第６の距離をもってオンとして形成された２つの第５の光透過部又は２つの第６の光透過部の間に形成された第１の光透過部内に第７の光透過部が形成されたことを特徴とする偽造防止用形成体である。
【００１６】
また、本発明の偽造防止用形成体におけるユニット同士の所定のピッチは、１ｍｍ以下であることを特徴とする偽造防止用形成体である。
【００１７】
また、本発明の偽造防止用形成体は、第１の光透過部の面積を段階的に変化させることで、連続階調を有する第１の不可視画像が形成されたことを特徴とする偽造防止用形成体である。
【００１８】
さらに、本発明の偽造防止用形成体における基材は、不可視画像領域を除く領域に、少なくとも１つの可視画像が形成されたことを特徴とする偽造防止用形成体である。
【発明の効果】
【００１９】
本発明の偽造防止用形成体は、反射光下で観察した場合、不可視画像領域には何ら画像を認識することができないが、透過光下で観察した場合、第１の不可視画像が文字、マーク又は図柄として観察することができ、さらに、透過光下でレンチキュラーレンズ又は万線シート等の判別具を重ね合わせて観察した場合、第１の不可視画像とは異なる第２の不可視画像を観察することができるという効果を奏する。
【００２０】
また、本発明の偽造防止用形成体は、目視の透過光下において観察される第１の真偽判別効果と、目視の透過光下において判別具の重ね合わせによって観察される第２の真偽判別効果を備えていることから、複写及び複製に対して、異なる２種類の真偽判別効果を有することから、２重のセキュリティが付与されるという高い偽造防止抵抗力を有するという効果を奏する。
【００２１】
また、本発明の偽造防止用形成体は、利用者が透過光下で観察した場合にのみ、不可視画像領域に備わった第１の不可視画像が認識されるようになるが、不可視画像領域において、第２の不可視画像及び第３の不可視画像が備わっていることが認識されることはない。すなわち、第２の不可視画像及び第３の不可視画像は、判別具を持っていない限り確認することができないという、より段階的なセキュリティ対策を備えることを可能にするという効果を奏する。
【図面の簡単な説明】
【００２２】
【図１】偽造防止用形成体である光透過性基材１を「反射状態」で観察した場合に視認される画像を示す図である。
【図２】偽造防止用形成体である光透過性基材１を「透過状態」で観察した場合に視認される画像を示す図である。
【図３】偽造防止用形成体である光透過性基材１を「透過状態」で、かつ、レンチキュラーレンズから成る判別具２を第１の方向に沿って不可視画像領域４を備えた面に重ね合わせた状態で観察される第２の不可視画像Ｐ２を示す図である。
【図４】レンチキュラーレンズから成る判別具２が重ね合わさる位置により、第２の不可視画像Ｐ２のネガポジが逆転した説明図である。
【図５】偽造防止用形成体である光透過性基材１を「透過状態」で、かつ、レンチキュラーレンズから成る判別具２を第２の方向に沿って不可視画像領域４を備えた面に重ね合わせた状態で観察される第３の不可視画像Ｐ３を示す図である。
【図６】レンチキュラーレンズから成る判別具２が重ね合わさる位置により、第３の不可視画像Ｐ３のネガポジが逆転した説明図である。
【図７】第１の実施の形態の光透過性基材１における光透過部の最小単位の構成を示す部分的な拡大図である。
【図８】光透過部の削除並びに追加を実行するアルゴリズムを示したフローチャート。
【図９】図８のアルゴリズムに従って、ユニット［ｖ］の光透過部Ａ´［ｖ］が削除された状態が示された図である。
【図１０】図８のアルゴリズムに従って、光透過部Ａ、光透過部Ａ´の半分又は略半分の空間面積を有する光透過部ａ及び光透過部Ｅが追加された状態が示された図である。
【図１１】レンチキュラーレンズから成る判別具２の各レンズの中心線７が、図７における線Ｌ１に一致するように、レンチキュラーレンズから成る判別具２を光透過性基材１上の不可視画像領域４に重ね合わせた状態が示された説明図である。
【図１２】第２の実施の形態の光透過性基材１における光透過部の最小単位の構成を示す部分的な拡大図である。
【図１３】図８のアルゴリズムに従って、ユニット［ｖ］の光透過部Ａ´［ｖ］又は光透過部Ｂ´［ｖ］が削除された状態が示された図である。
【図１４】図８のアルゴリズムに従って、光透過部Ａ又は光透過部Ａ´の半分の空間面積を有する光透過部ａ及び光透過部Ｅが追加された状態と、光透過部Ｂ又は光透過部Ｂ´の半分の空間面積を有する光透過部ｂ及び光透過部Ｅが追加された状態が示された図である。
【図１５】レンチキュラーレンズから成る判別具２の各レンズの中心線７が、図１２における線Ｌ１に一致するように、レンチキュラーレンズから成る判別具２を光透過性基材１上の不可視画像領域４に重ね合わせた状態が示された説明図である。
【図１６】レンチキュラーレンズから成る判別具２の各レンズの中心線７が、図１２における線Ｌ３に一致するように、レンチキュラーレンズから成る判別具２を光透過性基材１上の不可視画像領域４に重ね合わせた状態が示された説明図である。
【図１７】第３の実施の形態の光透過性基材１における光透過部の最小単位の構成を示す部分的な拡大図である。
【図１８】レンチキュラーレンズから成る判別具２の各レンズの中心線７が、図１７における線Ｌ１に一致するように、レンチキュラーレンズから成る判別具２を光透過性基材１上の不可視画像領域４に重ね合わせた状態が示された説明図である。
【図１９】レンチキュラーレンズから成る判別具２の各レンズの中心線７が、図１７における線Ｌ３に一致するように、レンチキュラーレンズから成る判別具２を光透過性基材１上の不可視画像領域４に重ね合わせた状態が示された説明図である。
【図２０】連続階調を有する第１の不可視画像Ｐ１の一例を示す拡大図である。
【発明を実施するための形態】
【００２３】
本発明の実施の形態について図面を用いて説明する。しかしながら、本発明は、以下に述べる実施するための形態に限定されるものではなく、特許請求の範囲記載における技術的思想の範囲内であれば、その他のいろいろな形態が実施可能である。
【００２４】
（不可視画像効果）
図１は、偽造防止用形成体である光透過性基材１の表面から「反射光下」で観察した場合に視認される状態を示したものである。光透過性基材１の表面には、印刷模様３等の可視画像を備えている。さらに、光透過性基材１の表面の一部に不可視画像領域４を備えている。図１に示されたように、「反射光下」で観察した場合には、不可視画像領域４に何ら画像は認識されない。
【００２５】
図２は、偽造防止用形成体である光透過性基材１の表面から「透過光下」で観察した場合に視認される画像を示したものである。図２に示されたように、光透過性基材１の裏面から光源５を照射した状態で光透過性基材１の表面から観察すると、不可視画像領域４に形成された第１の不可視画像Ｐ１が、光透過性基材１の透過光量の差異によって現れる。図２の例では、「夢」の文字が現れているが、第１の不可視画像Ｐ１に用いる画像は、何ら限定するものではない。なお、本発明における光透過性基材１は、光を一定以上透過する材料や材質であれば良く、紙又はポリマー等を基材として用いることが可能であり、これらに形成する光透過部は、光透過性基材１がもつ光透過度と異なる光透過度を有する領域として形成することができれば、光透過性基材１自体に凹凸形状を形成する方法や、部分的に基材の光透過度を異ならせることができるメジウム等の透明インキ又は透明ニス等を印刷することで、光透過部を形成する方法等、公知の方法を用いることが可能であり、特に限定するものではない。
【００２６】
（判別具による不可視画像の現出効果）
本発明は、図３に示されるように、不可視画像領域４を備えた光透過性基材１において、光源５は、基材１の裏面から照射し、かつ、レンチキュラーレンズから成る判別具２を、不可視画像領域４を備えた面に重ね合わせることにより、第２又は第３の不可視画像を容易に可視画像として発現させて真偽判別することができるものである。レンチキュラーレンズから成る判別具２は、透明性を有する素材であり、光透過性基材１から透過された光を充分に透過するものである。なお、以下の説明では、判別具２をレンチキュラーレンズとして説明するが、万線フィルタを判別具２としても同様の効果が得られる。
【００２７】
そして、光透過性基材１上にレンチキュラーレンズから成る判別具２を所定の角度（これを０度とする）を持って重ね合わせると、図３で示された、例えば、「Ａ」の文字のような第２の不可視画像Ｐ２が可視画像となって発現する。また、レンチキュラーレンズから成る判別具２が重ね合わさる位置を所定のピッチずらして重ねることにより、図４で示された第２の不可視画像Ｐ２のネガポジが逆転したように観察されるが、これは、レンチキュラーレンズから成る判別具２と光透過性基材１との間の相対的な位置によって生ずるものであり、本発明の効果の範囲内である。
【００２８】
また、光透過性基材１上にレンチキュラーレンズから成る判別具２を所定の角度に対して９０度をなす角度を持って重ね合わせると、図５で示された、例えば、「Ｂ」の文字のような第３の不可視画像Ｐ３が可視画像となって発現する。また、レンチキュラーレンズから成る判別具２が重ね合わさる位置を所定のピッチずらして重ねることにより、図６で示されたように第３の不可視画像Ｐ３のネガポジが逆転したように観察されるが、これは、レンチキュラーレンズから成る判別具２と光透過性基材１との間の相対的な位置によって生ずるものであり、本発明の効果の範囲内である。なお、第２の不可視画像Ｐ２及び第３の不可視画像Ｐ３は、文字、数字、図柄又はマーク等の任意の形状とすることが可能であり、適宜選択すれば良い。
【００２９】
（第１の実施の形態）
本発明の第１の実施の形態による偽造防止用形成体である光透過性基材１について説明する。図７は、第１の実施の形態の光透過性基材１における最小単位の構成を示す部分的な拡大図である。ここで、縦の寸法Ｓｖは、例えば、３４０μｍというように１ｍｍ以下の大きさである。図７は、ユニットと称する光透過部の最小単位であり、光透過部Ａ及び光透過部Ａ´で構成されている。この最小単位のユニットが、光透過性基材１の表面上においてマトリクス状に規則的に配置される。光透過部Ａと光透過部Ａ´は、対を成しており、相互にオン・オフの関係にある。このオン・オフの関係とは、例えば、一方が明（オン）のときは他方は暗（オフ）、一方が暗（オフ）のときは他方は明（オン）の関係であり、基本的には双方ともに明（オン）又は双方ともに暗（オフ）であることがないということである。そして、光透過部Ａと光透過部Ａ´は、面積が同一である。このような光透過部Ａ及び光透過部Ａ´とが存在することで、通常の透過光下の条件では第２の不可視画像Ｐ２は視認されない状態となるが、光透過部Ａのみにより不可視画像Ｐ２（ネガ又はポジ）、光透過部Ａ´のみにより不可視画像Ｐ２（ポジ又はネガ）がそれぞれ形成されている。なお、本発明でいう面積が同一とは、光透過部の面積が略同一であるものを含むものであり、光透過性基材１からの光の透過光量が同一又は略同一の領域とし形成することができれば、第２の不可視画像Ｐ２を形成することが可能であり、これらは、本発明の範囲内である。
【００３０】
また、図７に示された光透過部Ｃは、光透過部Ａ及び光透過部Ａ´と面積が同一又は大きく、この光透過部Ｃにより、図２に示されたような任意の図形及び文字等から成る第１の不可視画像Ｐ１を構成する光透過部Ｃとなり、光透過部Ｃは、光透過部Ａ及び光透過部Ａ´に挟まれるように配置されている。さらに、図７に示された光透過部Ｃは、ユニット横方向を長手方向とし、寸法Ｓｈを最大幅とする長方形である。すなわち、ユニットの近傍部によって光透過部Ｃを備えた領域が横一直線状に連結されているものである。
【００３１】
図２に示された光透過性基材１の不可視画像領域４は、図７に示されたユニットが縦ステップ数ｖと横ステップ数ｈをもってマトリクス状に縦横隙間なく、連続的に、かつ、規則的に配置されたものである。なお、本発明の実施の形態でいうステップ数とは、不可視画像領域４上で繰り返されるユニット数を指すものであり、ステップ数に何ら制限はなく、このステップ数によって不可視画像の解像分解能が決まる。また、光透過部Ａ及び光透過部Ａ´とを横方向に並べて結合することによって、光透過部Ａ群から成る平行万線と、光透過部Ａ´群から成る平行万線とが形成される。すなわち、図３は、線位相変調（Line phase modulation）によって、第２の不可視画像Ｐ２を施している状態となっているものである。しかし、この状態では、マトリックス状に配置された各々のユニットのうち、隣接して配置されたユニットにおいて、オンとして配置された光透過部Ａ及び光透過部Ａ´が第１の距離で配置されることで光透過度が高く（明るく）見えたり、また、オンとして配置された光透過部Ａ及び／又は光透過部Ａ´が第２の距離以上の距離で配置されることで、光透過度が低く（暗く）見えたりして、肉眼視では光透過度が不均衡となって見えることもある。前述した光透過部Ａ及び光透過部Ａ´が配置される第１の距離及び第２の距離については、後述する光透過度の不均衡を緩和する説明により、詳細に説明する。
【００３２】
この光透過度が不均衡に見えるのを緩和するため、図７に示された光透過部Ｅと光透過部ａとを、それぞれ光透過部Ｃの領域中に配置している。光透過部ａは、光透過部Ａ及び光透過部Ａ´の半分の面積であり、光透過部Ａに対してユニット縦方向上に配列し、光透過部Ａと光透過部Ａ´とに挟まれるように配置されている。一方、光透過部Ｅは、光透過部Ａ及び光透過部Ａ´の半分の面積であり、光透過部Ａに対してユニット縦方向上に配列し、光透過部Ａ及び光透過部Ａ´に挟まれるように配置されている。これにより、第１の不可視画像Ｐ１の光透過部における光透過度の不均衡が緩和されている。なお、本発明における隣接とは、マトリックス状に形成されたユニット同士が隣り合って形成されていることを意味するものであり、各々のユニット同士の間に若干の隙間を設ける構成も含むものである。
【００３３】
図８に示されたアルゴリズムは、最小単位であるユニット［ｖ］ごとに、光透過部の削除並びに追加を実行するものである。まず、処理ｆ１にて、マトリクス状に配置した列ごとのユニット［ｖ］において順次光透過部Ａ［ｖ］と、光透過部Ａ´［ｖ］の検知が行われる。なお、一つのユニット［ｖ］における光透過部Ａ［ｖ］及び光透過部Ａ´［ｖ］が配置された距離が本発明でいう第１の距離であり、光透過部Ａ［ｖ］及び光透過部Ａ´［ｖ］を検知する方法は、例えば、不可視画像領域４がビットマップ形式の２値画像の場合、処理すべきユニット内において、一般的にラベリングと呼ばれる処理によって、光透過部Ａ［ｖ］及び／又は光透過部Ａ´［ｖ］を識別しても良い。
【００３４】
次に、処理ｆ２にて、隣接する２つのユニットにおいて、ユニット［ｖ］に光透過部Ａ´［ｖ］を有し、かつ、ユニット［ｖ＋１］に光透過部Ａ［ｖ＋１］を有する条件である、オンとして配置された光透過部Ａ´［ｖ］及び光透過部Ａ［ｖ＋１］が配置された第１の距離の条件に一致したとき、処理ｆ３にて、ユニット［ｖ］における本来配置される位置である光透過部Ａ´［ｖ］の削除が行われる。すなわち、図９（ａ）に示めされるように、ユニット［ｖ］、ユニット［ｖ＋１］及びユニット［ｖ＋２］の配置の際、ユニット［ｖ］の光透過部Ａ´［ｖ］とユニット［ｖ＋１］の光透過部Ａ［ｖ＋１］が第１の距離として隣接している場合、図９（ｂ）に示めされるように、ユニット［ｖ］の光透過部Ａ´［ｖ］が削除される。また、処理ｆ２の条件に一致しない場合は処理４に移行する。
【００３５】
次に、処理ｆ４にて、隣接する２つのユニットにおいて、ユニット［ｖ］に光透過部Ａ［ｖ］を有し、かつ、ユニット［ｖ＋１］に光透過部Ａ´［ｖ＋１］を有する条件である、オンとして配置された光透過部Ａ［ｖ］及び光透過部Ａ´［ｖ＋１］が第２の距離で配置される条件に一致したとき、処理ｆ５にて、ユニット［ｖ］における光透過部ａ［ｖ］の追加を行う。すなわち、図１０（ｂ）に示されるように、ユニット［ｖ］における光透過部Ａ´［ｖ］とユニット［ｖ＋１］における光透過部Ａ［ｖ＋１］の中間に、光透過部Ａ及び光透過部Ａ´の半分の面積を有する光透過部ａが追加される。これにより、ユニット［ｖ］とユニット［ｖ＋１］間における肉眼視での光透過度の不均衡が緩和される。なお、本発明でいう半分の面積とは、略半分の面積を含むものである。
【００３６】
次に、処理ｆ６にて、隣接する３つのユニットにおいて、ユニット［ｖ］に光透過部Ａ´［ｖ］を有し、ユニット［ｖ＋１］に光透過部がなく、かつ、ユニット［ｖ＋２］に光透過部Ａ［ｖ＋２］を有する条件である、オンとして配置された光透過部Ａ´［ｖ］及び光透過部Ａ［ｖ＋２］が第２の距離で配置される条件に一致したとき、処理ｆ７にて、ユニット［ｖ＋１］における光透過部Ｅ［ｖ＋１］の追加を行う。すなわち、図１０（ｃ）に示されるように、ユニット［ｖ＋１］の光透過部Ａ［ｖ＋１］と光透過部Ａ´［ｖ＋１］の間に、光透過部Ａ及び光透過部Ａ´の半分の面積を有する光透過部Ｅ［ｖ＋１］が追加される。これにより、ユニット［ｖ］とユニット［ｖ＋２］間における肉眼視での光透過度の不均衡が緩和される。
【００３７】
次に、処理ｆ８にて、隣接する３つのユニットにおいて、ユニット［ｖ］に光透過部Ａ´［ｖ］を有し、ユニット［ｖ＋１］に光透過部がなく、かつ、ユニット［ｖ＋２］に光透過部Ａ´［ｖ＋２］を有する条件である、オンとして配置された光透過部Ａ´［ｖ］及び光透過部Ａ´［ｖ＋２］が第３の距離で配置される条件に一致したとき、処理ｆ９にて、ユニット［ｖ＋１］における光透過部Ｅ［ｖ＋１］と、光透過部ａ［ｖ＋１］の追加を行う。すなわち、図１０（ｄ）に示されるように、ユニット［ｖ＋１］の光透過部Ａ［ｖ＋１］と光透過部Ａ´［ｖ＋１］の間に、光透過部Ａ及び光透過部Ａ´の半分の面積を有する光透過部Ｅ［ｖ＋１］が追加され、ユニット［ｖ＋１］の光透過部Ａ´［ｖ＋１］とユニット［ｖ＋２］の光透過部Ａ［ｖ＋２］の間に、光透過部Ａ及び光透過部Ａ´の半分の面積を有する光透過部ａ［ｖ＋１］が追加される。これにより、ユニット［ｖ］とユニット［ｖ＋２］間における肉眼視での光透過度の不均衡が緩和される。
【００３８】
この状態で、例えば、レンチキュラーレンズから成る判別具２を光透過性基材１上の不可視画像領域４に重ね合わせ、透過光下により観察することによって、不可視画像領域４に施されている第２の不可視画像Ｐ２を可視画像として発現させることができる。なお、本第１の実施の形態では、寸法Ｓｖが３４０μｍとしているが、寸法Ｓｖ、光透過性基材１の材質、光透過性そのものを与える手段及び方法等については、何ら限定するものではない。
【００３９】
ここで、第１の実施の形態における偽造防止用形成体を簡単に説明するため、図１１（ａ）で示された不可視画像領域４と、図１１（ｂ）で示された「Ａ」の文字が第２の不可視画像Ｐ２として発現する例を模式的に示した例により説明する。
【００４０】
まず、図１１（ａ）に示されたように、光透過性基材１上の所定の位置に、判別具２であるレンチキュラーレンズにおける各レンズの中心線７が光透過部Ａの中心である、すなわち、図７における線Ｌ１に一致するように重ね合わせる。この場合、図１１（ｂ）に示されたようにレンチキュラーレンズの作用によって光透過部Ａが拡大された状態となるため、光透過部Ａにより構成されている「Ａ」の文字（模様）を確認することができることとなる。その際、第１の不可視画像Ｐ１を構成していた光透過部Ｃは、レンチキュラーレンズの各レンズの中心線７と一致せず、判別具２の真上から視認されることはない。これにより、図２に示された不可視画像領域４の第１の不可視画像Ｐ１が第２の不可視画像Ｐ２へとスイッチすることとなる。また、光透過部Ａ´が拡大されるように、縦軸方向に沿って判別具２の各レンズの中心線７が、図７における線Ｌ２と一致するように移動させた場合、光透過部Ａ´により視認された第２の不可視画像Ｐ２のネガポジが反転して視認される。
【００４１】
また、図１１（ａ）において、光透過部Ｃの濃度を段階的に異なる濃度として示しているが、各々の光透過部Ｃにおける面積を任意に設定することで、連続階調を有する第１の不可視画像Ｐ１を形成することも可能であり、これらは、本発明の範囲内である。
【００４２】
（第２の実施の形態）
次に、本発明の第２の実施の形態おける偽造防止用形成体について説明する。第１の実施の形態では、第１の不可視画像Ｐ１がレンチキュラーレンズを重ね合わせることで第２の不可視画像Ｐ２にスイッチする例として説明したが、第２の実施の形態では、レンチキュラーレンズの中心線７を重ねる位置を縦軸方向に沿ってずらすことで、第２の不可視画像Ｐ２から第３の不可視画像Ｐ３にスイッチさせる構成である。
【００４３】
図１２は、第２の実施の形態における光透過性基材１の構成における最小単位の構成を示した模式図である。ここで、縦の寸法Ｓｖは、例えば、３４０μｍというように１ｍｍ以下の大きさである。図１２は、ユニットと称する光透過部の最小単位であり、光透過部Ａ及び光透過部Ａ´により、第２の不可視画像Ｐ２が形成され、光透過部Ｂ及び光透過部Ｂ´により第３の不可視画像Ｐ３が構成されている。この、図１２に示す最小単位のユニットが、光透過性基材１上においてマトリクス状に規則的に配置される。
【００４４】
光透過部Ａと光透過部Ａ´は、対を成しており、相互にオン・オフの関係にある。一方、光透過部Ｂと光透過部Ｂ´は、対を成しており、相互にオン・オフの関係にある。そして、光透過部Ａと光透過部Ａ´は、面積が同一であり、光透過部Ｂと光透過部Ｂ´は、面積が同一である。このような光透過部Ａ及び光透過部Ａ´と、光透過部Ｂ及び光透過部Ｂ´とが存在することで、透過光下では第２の不可視画像Ｐ２及び第３の不可視画像Ｐ３は視認されず、光透過部Ａのみにより第２の不可視画像Ｐ２（ネガ又はポジ）、光透過部Ａ´のみにより第２の不可視画像Ｐ２（ポジ又はネガ）がそれぞれ形成され、さらに、光透過部Ｂのみにより第３の不可視画像Ｐ３（ネガ又はポジ）、光透過部Ｂ´のみにより第３の不可視画像Ｐ３（ポジ又はネガ）がそれぞれ形成されている。なお、本発明でいう面積が同一とは、光透過部の面積が略同一であるものを含むものであり、光透過性基材１からの光の透過光量が同一又は略同一の領域とし形成することができれば、第２の不可視画像Ｐ２及び第３の不可視画像Ｐ３を形成することが可能であり、これらは、本発明の範囲内である。
【００４５】
また、第１の実施の形態と同様に、図１２に示された光透過部Ｃにより、第１の不可視画像Ｐ１を形成し、図２に示されたような任意の図形及び文字等から成る第１の不可視画像Ｐ１を構成する光透過部Ｃとなり、光透過部Ｃがユニットの縦方向に光透過部Ａと光透過部Ｂに挟まれるように配置されている領域と、光透過部Ｃがユニットの縦方向に光透過部Ｂと光透過部Ａ´に挟まれるように配置されている領域と、光透過部Ｃがユニットの縦方向に光透過部Ａ´と光透過部Ｂ´に挟まれるように配置されている領域と、マトリクス状に配置されたユニットの近傍部にて光透過部Ｃがユニットの縦方向に光透過部Ｂ´と光透過部Ａに挟まれるように配置されている領域とによって構成されている。さらに、図１２に示された光透過部Ｃは、ユニット横方向を長手方向とし、寸法Ｓｈを最大幅とする長方形である。すなわち、ユニットの近傍部によって光透過部Ｃを備えた領域が横一直線状に連結されているものである。
【００４６】
図２に示された光透過性基材１の不可視画像領域４は、図１２に示されたユニットが縦ステップ数ｖと横ステップ数ｈをもってマトリクス状に縦横隙間なく、連続的に、かつ、規則的に配置されたものである。なお、第２の実施の形態でいうステップ数とは、不可視画像領域４上に繰り返されるユニットの数のことを指すもので、ステップ数に何ら制限はなく、このステップ数によって不可視画像の解像分解能が決まる。また、光透過部Ａ及び光透過部Ａ´が横方向に並ぶことによって、光透過部Ａ群から成る平行万線と光透過部Ａ´群から成る平行万線が形成される。すなわち、図１２は、線位相変調（Line phase modulation）によって、第２の不可視画像Ｐ２を施している状態となっているものであり、光透過部Ｂ及び光透過部Ｂ´により形成される第３の不可視画像Ｐ３についても同様である。
【００４７】
しかし、この状態では、透過光下で複数の光透過部Ａ及び光透過部Ａ´又は複数の光透過部Ｂ及び光透過部Ｂ´とがマトリクス状に配置されたユニットの近傍部にて光透過部Ａ及び光透過部Ａ´の双方又は光透過部Ｂ及び光透過部Ｂ´の双方がオンになることで光透過度が高く（明るく）見えたり、また、複数の光透過部Ａ及び複数の光透過部Ａ´又は複数の光透過部Ｂ及び複数の光透過部Ｂ´とがマトリクス状に配置されたユニットの近傍部にて光透過部Ａ及び光透過部Ａ´の双方又は光透過部Ｂ及び光透過部Ｂ´の双方がオフになることで光透過度が低く（暗く）見えることで、肉眼視では、光透過度が不均衡となって見えることもある。
【００４８】
この光透過度が不均衡に見える状態を緩和するため、図１２に示された光透過部ａ、光透過部ｂ及び光透過部Ｅを、それぞれ光透過部Ｃに挟まれるように配置している。図１２に示された光透過部ａ、光透過部ｂ及び光透過部Ｅは、透過光下での光透過度の不均衡を緩和するために設けられている。光透過部Ａ及び光透過部Ａ´と光透過部Ｂ及び光透過部Ｂ´は、ユニット横方向において、寸法Ｓｈの２／３の長さをもってずれて配置されている。光透過部ａは、ユニット内における光透過部Ｂ´と隣接する位置に寸法Ｓｈの１／３の長さをもって配置されている。一方、光透過部ｂは、ユニット内における光透過部Ａと隣接する位置に寸法Ｓｈの１／３の長さをもって配置されている。また、光透過部Ｅは、ユニット内における光透過部Ｂと隣接する位置に寸法Ｓｈの１／３の長さをもって配置されるか、ユニット内における光透過部Ａ´と隣接する位置に寸法Ｓｈの１／３の長さをもって配置されている。これにより、図１２に示すように、不可視画像領域４における光透過度の不均衡を緩和するための光透過部ａと光透過部Ｂ´、光透過部ｂと光透過部Ａ、光透過部Ｅと光透過部Ａ´、光透過部Ｅと光透過部Ｂが、ユニット横方向において横一直線状に連結されている。
【００４９】
図８に示されたアルゴリズムによって光透過性基材１の最小単位の構成であるユニット［ｖ］ごとに、光透過部の削除並びに追加を実行するものである。なお、［ｖ］はユニットを縦上から数えたステップ数である。光透過部ａ、光透過部ｂ及び光透過部Ｅの生成については、図８に示されたアルゴリズムに準拠するものであり、光透過部Ａ及び光透過部Ａ´における光透過度の不均衡を緩和するために、光透過部ａ及び光透過部Ｅが生成される。また、光透過部Ｂ及び光透過部Ｂ´の関係については、光透過部Ｂを光透過部Ａとし、光透過部Ｂ´を光透過部Ａ´とし、光透過部ｂを光透過部ａに読み替えることで、図８に示されたアルゴリズムを用いて処理することにより、光透過部ｂ及び光透過部Ｅが生成される。
【００５０】
まず、図８の処理ｆ１にて、マトリクス状に配置した列ごとのユニット［ｖ］において、順次光透過部Ａ［ｖ］及び光透過部Ａ´［ｖ］の検知が行われる。なお、光透過部Ａ［ｖ］及び光透過部Ａ´［ｖ］を検知する方法は、例えば、不可視画像領域４がビットマップ形式の２値画像の場合、処理すべきユニット内において、一般的にラベリングと呼ばれる処理によって、光透過部Ａ［ｖ］又は光透過部Ａ´［ｖ］を識別しても良い。
【００５１】
次に、処理ｆ２にて、隣接する２つのユニットにおいて、ユニット［ｖ］に光透過部Ａ´［ｖ］を有し、かつ、ユニット［ｖ＋１］に光透過部Ａ［ｖ＋１］を有する条件である、オンとして配置された光透過部Ａ´［ｖ］及び光透過部Ａ［ｖ＋１］が第１の距離で配置される条件に一致したとき、処理ｆ３にて、ユニット［ｖ］における本来配置される位置である光透過部Ａ´［ｖ］の削除が行われる。すなわち、図１３（ａ）に示されるように、ユニット［ｖ］、ユニット［ｖ＋１］及びユニット［ｖ＋２］の配置の際、ユニット［ｖ］の光透過部Ａ´［ｖ］とユニット［ｖ＋１］の光透過部Ａ［ｖ＋１］が隣接している場合、図１３（ｂ）に示されるように、ユニット［ｖ］の光透過部Ａ´［ｖ］が削除される。また、処理ｆ２の条件に一致しない場合は処理４に移行する。
【００５２】
次に、処理ｆ４にて、隣接する２つのユニットにおいて、ユニット［ｖ］に光透過部Ａ［ｖ］を有し、かつ、ユニット［ｖ＋１］に光透過部Ａ´［ｖ＋１］を有する条件である、オンとして配置された光透過部Ａ［ｖ］及び光透過部Ａ´［ｖ＋１］が第２の距離で配置される条件に一致したとき、処理ｆ５にて、ユニット［ｖ］における光透過部ａ［ｖ］の追加を行う。すなわち、図１４（ｂ）に示されるように、ユニット［ｖ］の光透過部Ａとユニット［ｖ＋１］の光透過部Ａ´［ｖ＋１］の中間に位置する光透過部Ｂ´［ｖ＋１］と隣接する位置に、光透過部Ａ及び光透過部Ａ´の半分の面積を有する光透過部ａが追加される。これにより、ユニット［ｖ］とユニット［ｖ＋１］間における透過光下での光透過度の不均衡が緩和される。
【００５３】
次に、処理ｆ６にて、隣接する３つのユニットにおいて、ユニット［ｖ］に光透過部Ａ´［ｖ］を有し、ユニット［ｖ＋１］に光透過部がなく、かつ、ユニット［ｖ＋２］に光透過部Ａ［ｖ＋２］を有する条件である、オンとして配置された光透過部Ａ´［ｖ］及び光透過部Ａ［ｖ＋２］が配置された第２の距離の条件に一致したとき、処理ｆ７にて、ユニット［ｖ＋１］における光透過部Ｅ［ｖ＋１］の追加を行う。すなわち、図１４（ｃ）に示されるように、ユニット［ｖ］の光透過部Ａ´［ｖ］とユニット［ｖ＋２］の光透過部Ａ［ｖ＋２］の中心に位置する光透過部Ｂ［ｖ＋１］と隣接する位置に、光透過部Ａ及び光透過部Ａ´の半分の面積を有する光透過部Ｅ［ｖ＋１］が追加される。これにより、ユニット［ｖ］とユニット［ｖ＋２］間における透過光下での光透過度の不均衡が緩和される。
【００５４】
次に、処理ｆ８にて、隣接する３つのユニットにおいて、ユニット［ｖ］に光透過部Ａ´［ｖ］を有し、ユニット［ｖ＋１］に光透過部がなく、かつ、ユニット［ｖ＋２］に光透過部Ａ´［ｖ＋２］を有する条件である、オンとして配置された光透過部Ａ´［ｖ］及び光透過部Ａ´［ｖ＋２］が配置される第３の距離の条件に一致したとき、処理ｆ９にて、ユニット［ｖ＋１］における光透過部Ｅ［ｖ＋１］及び光透過部ａ［ｖ＋１］の追加を行う。すなわち、図１４（ｄ）に示されるように、ユニット［ｖ＋１］の光透過部Ｂ［ｖ＋１］と隣接する位置に、光透過部Ａ及び光透過部Ａ´の半分の面積を有する光透過部Ｅ［ｖ＋１］と、光透過部Ｂ´［ｖ＋１］と隣接する位置に光透過部ａ［ｖ＋１］が追加される。これにより、ユニット［ｖ］とユニット［ｖ＋２］間における透過光下での光透過度の不均衡が緩和される。
【００５５】
一方、光透過部Ｂ及び光透過部Ｂ´の関係については、光透過部Ｂを光透過部Ａとし、光透過部Ｂ´を光透過部Ａ´とし、光透過部ｂを光透過部ａに読み替えることで、図８に示されたアルゴリズムで処理することができる。
【００５６】
まず、図８の処理ｆ１にて、マトリクス状に配置した列ごとのユニット［ｖ］において順次光透過部Ｂ［ｖ］及び光透過部Ｂ´［ｖ］の検知が行われる。なお、光透過部Ｂ［ｖ］及び光透過部Ｂ´［ｖ］を検知する方法は、例えば、不可視画像領域４ビットマップ形式の２値画像の場合、処理すべきユニット内において、一般的にラベリングと呼ばれる処理によって、光透過部Ｂ［ｖ］又は光透過部Ｂ´［ｖ］を識別しても良い。
【００５７】
次に、処理ｆ２にて、隣接する２つのユニットにおいて、ユニット［ｖ］に光透過部Ｂ´［ｖ］を有し、かつ、ユニット［ｖ＋１］に光透過部Ｂ［ｖ＋１］を有する条件である、オンとして配置された光透過部Ｂ´［ｖ］及び光透過部Ｂ［ｖ＋１］が配置される第１の距離の条件に一致したとき、処理ｆ３にて、ユニット［ｖ］における本来配置される位置である光透過部Ｂ´［ｖ］の削除が行われる。すなわち、図１３（ｃ）に示されるように、ユニット［ｖ］、ユニット［ｖ＋１］及びユニット［ｖ＋２］の配置の際、ユニット［ｖ］の光透過部Ｂ´［ｖ］とユニット［ｖ＋１］の光透過部Ｂ［ｖ＋１］が隣接している場合、図１３（ｄ）に示されるように、ユニット［ｖ］の光透過部Ｂ´［ｖ］が削除される。また、処理ｆ２の条件に一致しない場合は処理４に移行する。
【００５８】
次に、処理ｆ４にて、隣接する２つのユニットにおいて、ユニット［ｖ］に光透過部Ｂ［ｖ］を有し、かつ、ユニット［ｖ＋１］に光透過部Ｂ´［ｖ＋１］を有する条件である、オンとして配置された光透過部Ｂ［ｖ］及び光透過部Ｂ´［ｖ＋１］が配置される第２の距離の条件に一致したとき、処理ｆ５にて、ユニット［ｖ＋１］における光透過部ｂ［ｖ＋１］の追加を行う。すなわち、図１４（ｆ）に示されるように、ユニット［ｖ］の光透過部Ｂ［ｖ］とユニット［ｖ＋１］の光透過部Ｂ´［ｖ＋１］の中間に位置する光透過部Ａ［ｖ＋１］と隣接する位置に、光透過部Ｂ及び光透過部Ｂ´の半分の面積を有する光透過部ｂ［ｖ＋１］が追加される。これにより、ユニット［ｖ］とユニット［ｖ＋１］間における透過光下での光透過度の不均衡が緩和される。
【００５９】
次に、処理ｆ６にて、隣接する３つのユニットにおいて、ユニット［ｖ］に光透過部Ｂ´［ｖ］を有し、ユニット［ｖ＋１］に光透過部がなく、かつ、ユニット［ｖ＋２］に光透過部Ｂ［ｖ＋２］を有する条件である、オンとして配置された光透過部Ｂ´［ｖ］及び光透過部Ｂ［ｖ＋２］が配置される第２の距離の条件に一致したとき、処理ｆ７にて、ユニット［ｖ＋１］における光透過部Ｅ［ｖ＋１］の追加を行う。すなわち、図１４（ｇ）に示されるように、ユニット［ｖ］の光透過部Ｂ´［ｖ］とユニット［ｖ＋２］の光透過部Ｂ［ｖ＋２］の中心に位置する光透過部Ａ´［ｖ＋１］に隣接する位置に、光透過部Ｂ及び光透過部Ｂ´の半分の面積を有する光透過部Ｅ［ｖ＋１］が追加される。これにより、ユニット［ｖ］とユニット［ｖ＋２］間における透過光下での光透過度の不均衡が緩和される。
【００６０】
次に、処理ｆ８にて、隣接する３つのユニットにおいて、ユニット［ｖ］に光透過部Ｂ´［ｖ］を有し、ユニット［ｖ＋１］に光透過部がなく、かつ、ユニット［ｖ＋２］に光透過部Ｂ´［ｖ＋２］を有する条件である、オンとして配置された光透過部Ｂ´［ｖ］及び光透過部Ｂ´［ｖ＋２］が配置される第３の距離の条件に一致したとき、処理ｆ９にて、ユニット［ｖ＋１］における光透過部Ｅ［ｖ＋１］及びユニット［ｖ＋２］における光透過部ｂ［ｖ＋２］の追加を行う。すなわち、図１４（ｈ）に示されるように、ユニット［ｖ］の光透過部Ｂ´［ｖ］及びユニット［ｖ＋２］の光透過部Ｂ´［ｖ＋２］が挟み込む位置に配置された光透過部Ａ´［ｖ＋１］と隣接する位置に、光透過部Ｂ及び光透過部Ｂ´の半分の面積を有する光透過部Ｅ［ｖ＋１］が追加され、光透過部Ａ［ｖ＋２］と隣接する位置に光透過部ｂ［ｖ＋２］が追加される。これにより、ユニット［ｖ］とユニット［ｖ＋２］間における透過光下での光透過度の不均衡が緩和される。
【００６１】
この状態で、例えば、レンチキュラーレンズから成る判別具２を光透過性基材１上の不可視画像領域４に重ね合わせ、透過光下により観察することで、不可視画像領域４に施されている第２の不可視画像Ｐ２又は第３の不可視画像Ｐ３を可視画像として発現させることができる。
【００６２】
不可視画像領域４に形成された第２の不可視画像Ｐ２が観察される構成をより具体的に説明するため、図１２における線Ｌ１とレンチキュラーレンズにおける各レンズの中心線７とが一致するように、レンチキュラーレンズから成る判別具２を光透過性基材１上の不可視画像領域４に重ね合わせ、透過光下によって観察した状態を図１５に示す。
【００６３】
レンチキュラーレンズの中心線７が図１２における線Ｌ１と一致するように、図１５（ａ）に示された位置にあるとき、中心線７に位置するのは光透過部Ａとなっている。レンチキュラーレンズの特性によって中心線７に位置する光透過部Ａが膨張して見えるため、目視では、図１５（ｂ）に示された「Ａ」の文字が第２の不可視画像Ｐ２として発現する。また、レンチキュラーレンズの中心線７が図１２における線Ｌ２と一致した位置にあるとき、中心線７に位置するのは、光透過部Ａ´となっている。レンチキュラーレンズの特性によって中心線７に位置する光透過部Ａ´が膨張して見えるため、第２の不可視画像Ｐ２のネガポジが反転して見える。よって、上述の図３及び図４に示されたようなネガポジ状のどちらかに見える第２の不可視画像Ｐ２となって発現する。
【００６４】
次に、図１２における線Ｌ３とレンチキュラーレンズの各レンズの中心線７が一致するように、不可視画像領域４の縦軸方向にずらして判別具２を光透過性基材１上の不可視画像領域４に重ね合わせ、透過光下によって観察した状態を図１６に示す。この場合、レンチキュラーレンズの中心線７が図１６（ａ）に示された位置にあり、中心線７に位置するのは、光透過部Ｂとなっている。レンチキュラーレンズの特性によって中心線７に位置する光透過部Ｂが膨張して見えるため、目視では、図１６（ｂ）に示された「Ｂ」の文字が第３の不可視画像Ｐ３として発現する。
【００６５】
また、レンチキュラーレンズの中心線７が図１２における線Ｌ４と一致した位置にあるとき、中心線７に位置するのは光透過部Ｂ´となっている。レンチキュラーレンズの特性によって中心線７に位置する光透過部Ｂ´が膨張して見えるため、第３の不可視画像Ｐ３のネガポジが反転して見える。つまり、図５及び図６に示されたような第３の不可視画像Ｐ３が、ネガポジ状のどちらかに見える可視画像となって発現するものである。なお、図５及び図６では、判別具２を縦方向に重ねた状態としているが、実際には、図１２における線Ｌ３又は線Ｌ４と判別具２の中心線７が一致するように重ねた状態である。
【００６６】
（第３の実施の形態）
次に、本発明の第３の実施の形態による偽造防止用形成体である光透過性基材１について説明する。第１の実施の形態及び第２の実施の形態では、判別具２を所定の方向（図面上における横方向）に重ねた場合に第１の不可視画像Ｐ１から第２の不可視画像Ｐ２又は第３の不可視画像Ｐ３にスイッチする例であるが、第３の実施の形態では、判別具２を重ねる角度を所定の方向と異なる方向（図面上における縦方向）に重ねることで、第３の不可視画像Ｐ３が発現するものである。
【００６７】
図１７は、第３の実施の形態における光透過性基材１の構成における最小単位の構成を示す部分的な拡大図である。ここで、縦の寸法Ｓｖ及び横の寸法Ｓｈは、例えば、３４０μｍというように１ｍｍ以下の大きさである。図１７は、ユニットと称する光透過部の最小単位であり、光透過部Ａ及び光透過部Ａ´と、光透過部Ｂ及び光透過部Ｂ´とにより、第２の不可視画像Ｐ２及び第３の不可視画像Ｐ３が構成されている。
【００６８】
図１７に示す光透過部が、光透過性基材１の表面上においてマトリクス状に規則的に配置される。光透過部Ａと光透過部Ａ´とは、対を成しており、相互にオン・オフの関係にある。一方、光透過部Ｂと光透過部Ｂ´とは、対を成しており、相互にオン・オフの関係にある。そして、光透過部Ａ及び光透過部Ａ´は、面積が同一であり、かつ、光透過部Ｂ及び光透過部Ｂ´は、面積が同一である。このような光透過部Ａ及び光透過部Ａ´と、光透過部Ｂ及び光透過部Ｂ´とが存在することで透過光下では第２の不可視画像Ｐ２及び第３の不可視画像Ｐ３は視認されず、光透過部Ａのみにより第２の不可視画像Ｐ２（ネガ又はポジ）、光透過部Ａ´のみにより第２の不可視画像Ｐ２（ポジ又はネガ）がそれぞれ形成され、さらに、光透過部Ｂのみにより第３の不可視画像Ｐ３（ネガ又はポジ）、光透過部Ｂ´のみにより第３の不可視画像Ｐ３（ポジ又はネガ）がそれぞれ形成されている。なお、本発明でいう面積が同一とは、光透過部の面積が略同一であるものを含むものであり、光透過性基材１からの光の透過光量が同一又は略同一の領域とし形成することができれば、第２の不可視画像Ｐ２及び第３の不可視画像Ｐ３を形成することが可能であり、これらは、本発明の範囲内である。
【００６９】
また、第１の実施の形態及び第２の実施の形態と同様に、図１７に示された光透過部Ｃにより第１の不可視画像Ｐ１を形成し、図２に示されたような任意の図形及び文字等から成る不可視画像領域４の第１の不可視画像Ｐ１を構成する光透過部となり、光透過部Ｃが光透過部Ａ及び光透過部Ａ´と、光透過部Ｂ及び光透過部Ｂ´とに挟まれるように配置されている。
【００７０】
また、図１７では、光透過部Ａ及び光透過部Ａ´が配置される距離と、光透過部Ｂ及び光透過部Ｂ´が配置される距離を同一としているが、光透過部Ａ及び光透過部Ａ´が配置される第１の距離よりも長い又は短い第４の距離として配置することも可能である。この
り、ユニットの横方向の寸法Ｓｈを長く又は短く設定することで第３の不可視画像Ｐ３を形成することができる。ユニット横方向の寸法Ｓｈと同一ピッチの線格子を有する判別具２を用いることで第３の不可視画像を出現させることができる。
【００７１】
図２に示された光透過性基材１の不可視画像領域４は、図１７に示されたユニットが縦ステップ数ｖと横ステップ数ｈをもってマトリクス状に縦横隙間なく、連続的に、かつ、規則的に配置されたものである。なお、この状態では、複数の光透過部Ａ及び光透過部Ａ´と、光透過部Ｂ及び光透過部Ｂ´がマトリクス状に配置されたユニットの近傍部にて光透過部Ａ及び光透過部Ａ´又は光透過部Ｂ及び光透過部Ｂ´の双方がオンになることで光透過度が高く（明るく）見えたり、光透過部Ａ及び光透過部Ａ´と、光透過部Ｂ及び光透過部Ｂ´の双方がオフになることで光透過度が低く（暗く）見えることで、透過光下では、光透過度が不均衡となって見えることもある。この光透過度が不均衡に見える状態を緩和するため、図１７に示された光透過部ａ、光透過部ｂ及び光透過部Ｅを、それぞれ光透過部Ｃの領域中に配置している。
【００７２】
また、光透過部ａ、光透過部ｂ及び光透過部Ｅの光透過部の生成については、図８に示されたアルゴリズムに準拠するものであり、処理ｆ１から処理ｆ９を行うことで、光透過部Ａ及び光透過部Ａ´の光透過度の不均衡を緩和する光透過部ａ及び光透過部Ｅが生成される。また、光透過部Ｂ及び光透過部Ｂ´の関係については、光透過部Ｂを光透過部Ａとし、光透過部Ｂ´を光透過部Ａ´とし、光透過部ｂを光透過部ａに読み替えることで、図８に示されたアルゴリズムで処理することにより、光透過部Ｂ及び光透過部Ｂ´の光透過度の不均衡を緩和する光透過部ｂ及び光透過部Ｅが生成される。
【００７３】
また、第２の実施の形態において、隣接する２つ又は３つのユニットにおいて、オンとして配置された光透過部Ｂ及び／又は光透過部Ｂ´の距離が第２の距離又は第３の距離となった場合に光透過部ｂ及び／又は光透過部Ｅを追加する構成を第３の実施の形態に置き換える場合として、第１の距離を第４の距離、第２の距離を第５の距離、第３の距離を第６の距離と読み替えることで、光透過部の削除及び追加を行うことができる。
【００７４】
そして、図１８（ａ）に示されたように、光透過性基材１上の所定の位置に、判別具２であるレンチキュラーレンズにおける各レンズの中心線７が光透過部Ａの中心である、すなわち、図１７における線Ｌ１に一致するように重ね合わせる。この場合、図１８（ｂ）に示されたようにレンチキュラーレンズの作用によって光透過部Ａが拡大された状態となるため、光透過部Ａにより構成されている「Ａ」の文字を確認することができることとなる。その際、第１の不可視画像Ｐ１を構成していた光透過部Ｃは、レンチキュラーレンズの各レンズの中心線７と一致せず、判別具２の真上から視認されることはない。また、光透過部Ａ´が拡大されるように、縦軸方向に沿って判別具２の各レンズの中心線７が、図１７における線Ｌ２と一致するように移動させた場合、光透過部Ａ´により形成されるネガポジ反転された第２の不可視画像Ｐ２が視認される。
【００７５】
さらに、図１９（ａ）に示されたように、光透過性基材１上の所定の位置に、判別具２であるレンチキュラーレンズにおける各レンズの中心線７が光透過部Ｂの中心である、すなわち、図１７における線Ｌ３に一致するように重ね合わせる。この場合、図１９（ｂ）に示されたようにレンチキュラーレンズの作用によって光透過部Ｂが拡大された状態となるため、光透過部Ｂにより構成されている「Ｂ」の文字を確認することができることとなる。その際、第１の不可視画像Ｐ１を構成していた光透過部Ｃは、レンチキュラーレンズの各レンズの中心線７と一致せず、判別具２の真上から視認されることはない。また、光透過部Ｂ´が拡大されるように、縦軸方向に沿って判別具２の各レンズの中心線７が、図１７における線Ｌ４と一致するように移動させた場合、光透過部Ｂ´により視認されるネガポジ反転された第３の不可視画像Ｐ３が視認される。
【００７６】
なお、図１８（ａ）及び図１９（ａ）において、光透過部Ｃの濃度を段階的に異なる濃度として示しているが、光透過部Ｃにおける光透過率を任意に設定することで、図２０に示すような、連続階調を有する第１の不可視画像Ｐ１を形成することも可能であり、これらは、本発明の範囲内である。
【００７７】
また、光透過性基材１上の不可視画像領域４が形成された領域以外に判別領域（図示せず）を形成し、光透過性基材１を折り曲げるか、又は複数の光透過性基材１を用いて不可視画像領域４上に判別領域を重ねることで、独立した判別具２を用いることなく第２の不可視画像Ｐ２又は第３の不可視画像Ｐ３を出現させることができる。判別領域は、規則的に一定ピッチで形成された線格子を含むものであれば良く、印刷により万線パターンを形成する方法、光透過性基材の光の透過度を部分的に変化させた透かしを用いる方法又は光透過性基材の一部に窓あき部を形成し、窓あき部にレンチキュラーレンズ等の判別具を埋め込む方法等、公知の形成方法を用いることが可能であり、これらの構成についても本発明の範囲内である。
【符号の説明】
【００７８】
１          光透過性基材
２          判別具
３          印刷模様
４          不可視画像領域
５          光源
７          中心線
Ａ          光透過部
Ｂ          光透過部
ａ          光透過部
ｂ          光透過部
Ｃ          光透過部
Ｅ          光透過部
Ｌ１        線
Ｌ２        線
Ｌ３        線
Ｌ４        線
Ｐ１        不可視画像
Ｐ２        不可視画像
Ｐ３        不可視画像
Ｓｈ        寸法
Ｓｖ        寸法
【図１】
2014014944.tif 000003
【図２】
2014014944.tif 000004
【図３】
2014014944.tif 000005
【図４】
2014014944.tif 000006
【図５】
2014014944.tif 000007
【図６】
2014014944.tif 000008
【図７】
2014014944.tif 000009
【図８】
2014014944.tif 000010
【図９】
2014014944.tif 000011
【図１０】
2014014944.tif 000012
【図１１】
2014014944.tif 000013
【図１２】
2014014944.tif 000014
【図１３】
2014014944.tif 000015
【図１４】
2014014944.tif 000016
【図１５】
2014014944.tif 000017
【図１６】
2014014944.tif 000018
【図１７】
2014014944.tif 000019
【図１８】
2014014944.tif 000020
【図１９】
2014014944.tif 000021
【図２０】
2014014944.tif 000022